(57)【特許請求の範囲】
【請求項１】
クレセント錠とは別個に室内外の両引き戸を補助的にロックするための引き戸の補助ロック装置であって、
室外側の引き戸（２７）の横桟（２８）に室内から当接する第一拡張片（３）と、戸枠（３４）の室内段差（３５）に当接する第二拡張片（４）と、これらの拡張片（３，４）がその間の相対間隔を変更できるように設けられているケーシング（２）と、前記両拡張片（３，４）の相対間隔を拡張又は縮小するための操作手段（５）と、を備えている引き戸の補助ロック装置において、
前記引き戸（２７）の横桟（２８）又は戸枠（３４）の室内段差（３５）に固定できかつ表面側に被嵌合部材を有する固定プレート（２９）を備え、この固定プレート（２９）の前記被嵌合部材に嵌合する嵌合部材が前記第一又は第二拡張片（３，４）に設けられており、
前記嵌合部材の被嵌合部材に対する嵌合代（Ｅ１）が、本来の錠装置である前記クレセント錠を解錠したときに室外側の引き戸（２７）と室内側の引き戸（２６）との間に生じる緩み代（Ｅ２）よりも大きい寸法に設定されていることを特徴とする引き戸の補助ロック装置。
【請求項２】
被嵌合部材は引き戸（２６，２７）の走行方向に連続して形成されたラック歯（３０）よりなり、嵌合部材はそのラック歯（３０）に噛み合う噛合歯（６）よりなる請求項１又は２に記載の引き戸の補助ロック装置。
【請求項３】
ラック歯（３０）の歯数が噛合歯（６）の歯数よりも多く設定されている請求項３に記載の引き戸の補助ロック装置。
【発明の詳細な説明】
【０００１】
【発明の属する技術分野】
本発明は、本来の錠装置とは別に室内外の両引き戸を補助的にロックするための引き戸の補助ロック装置に関する。
【０００２】
【従来の技術】
例えば、建物の窓部や玄関を構成するアルミサッシは、戸枠に設けた内外二列のレールに室内外の引き戸を走行自在に設けることによって構成され、これら室内外の引き戸の施錠は、一般に、両引き戸を閉鎖したときに戸枠の中央で重なり合う縦桟同士をいわゆるクレセント錠で固定することによって行われる。
【０００３】
しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
そして、かかる補助ロック装置として、室外側の引き戸の横桟に室内から当接する第一拡張片と、戸枠の室内段差に当接する第二拡張片と、これらの拡張片がその間の相対間隔を変更できるように設けられているケーシングと、両拡張片の相対間隔を拡張又は縮小するための操作手段と、を備えたものがある（例えば、実公平７−１２５９６号公報参照）。
【０００４】
上記補助ロック装置によれば、両拡張片を室外側の引き戸と戸枠の室内段差の間に嵌め込んだ状態でケーシングを窓枠にセットしたあと、両拡張片の間隔を拡張させるように操作手段を操作すると、室外側の引き戸が第一拡張片に押圧されて開かないようになるとともに、室内側の引き戸はケーシングそのものが邪魔になって開かないようになり、室内外の両引き戸をロックすることができる。
【０００５】
【発明が解決しようとする課題】
上記従来の補助ロック装置では、第一及び第二拡張片の当接部分にゴムパッドが設けられているだけで、このゴムパッドを介して室外側の引き戸を押圧してロックするようにしているので、室外側の引き戸に厚さ方向の緩みが発生すると、同引き戸をロックできないことがある。
【０００６】
即ち、クレセント錠は、その施錠状態においては室外側の引き戸を室内側の引き戸側に引き付けているが、その解錠状態においてはそのような引き付け作用がないため、室外側の引き戸が室内側の引き戸から若干離反していて、厚さ方向の緩みが発生していることがある。
このため、クレセント錠をロックした状態で補助ロック装置をセットしたあと、クレセント錠が解錠されて室外側の引き戸に厚さ方向の緩みが発生すると、第一拡張片による室外側の引き戸に対する押圧力が低下し、当該補助ロック装置によるロックも同時に解除されることがあった。
【０００７】
そこで、本発明の課題は、室外側の引き戸に厚さ方向の緩みが発生しても、引き戸のロック状態を確実に維持できるようにする点にある。
【０００８】
【課題を解決するための手段】
本発明は、上記課題を解決するために次の解決手段を採用した。
即ち、本発明は、クレセント錠とは別個に室内外の両引き戸を補助的にロックするための引き戸の補助ロック装置において、更に、引き戸の横桟又は戸枠の室内段差に固定できかつ表面側に被嵌合部材を有する固定プレートを設け、この固定プレートの被嵌合部材に嵌合する嵌合部材が第一又は第二拡張片に設けられており、前記嵌合部材の被嵌合部材に対する嵌合代が、本来の錠装置である前記クレセント錠を解錠したときに室外側の引き戸と室内側の引き戸との間に生じる緩み代よりも大きい寸法に設定されていることを特徴とする。
【０００９】
上記補助ロック装置によれば、第一又は第二拡張片に設けた嵌合部材が引き戸の横桟又は戸枠の室内段差に固定される固定プレートの被嵌合部材に嵌合した状態でロックされ、しかも、その嵌合代が本来の錠装置であるクレセント錠を解錠したときの両引き戸間の緩み代よりも大きい寸法に設定されているので、例えばクレセント錠が解錠されて室外側の引き戸に厚さ方向の緩みが発生しても、室内外の両引き戸のロック状態が維持されることになる。
【００１１】
上記の本発明において、嵌合部材と被嵌合部材との嵌合形式は、係合ピンとこれが嵌合する係合孔その他の各種の雄雌嵌合の形式を採用することができる。
しかし、係合ピンと係合孔による嵌合形式では、固定プレートの取り付け高さを正確に位置決めしないと、係合ピンを係合孔に適切に嵌合させることができなくなるので、固定プレートの取り付け高さを正確に位置決めせねばらなず、同プレートの取り付け作業が煩雑になる。
【００１２】
そこで、固定プレートに設ける被嵌合部材を引き戸の走行方向に連続して形成されたラック歯より構成し、第一又は第二拡張片に設ける嵌合部材をそのラック歯に噛み合う噛合歯より構成することが好ましい。
この場合、固定プレートの取り付け高さに若干の誤差があっても両者の噛み合いが適切に行われることになるので、固定プレートの取り付け高さを正確に位置決めする必要がなく、同プレートの取り付け作業を簡便化することができる。
【００１３】
また、この場合、ラック歯の歯数を噛合歯の歯数よりも多く設定しておけば、引き戸の走行方向の広い範囲で両者を噛み合わせることができ、当該補助ロック装置による引き戸の走行方向におけるロック可能範囲を可及的に広げることができる。
【００１４】
【発明の実施の形態】
以下、図面を参照しつつ、本発明の実施の形態を説明する。
図１〜図４は本発明の補助ロック装置１を示している。
図１に示すように、本実施形態の補助ロック装置１は、鋼材等の金属材料を平面視ほぼ四角形に形成してなるケーシング２と、このケーシング２の先端部に突設された第一拡張片３と、この第一拡張片３に対して接近離反自在となるようにケーシング２に設けられた第二拡張片４と、この第二拡張片４を移動させるための操作手段５と、を備えている。
【００１５】
第一及び第二拡張片３，４は、いずれもケーシング２の幅寸法にほぼ相当する長さを有する板材よりなり、ケーシング２の裏面側において互いに平行となるように同裏面側に突出して配置されている。
【００１６】
本実施形態では、上記第一及び第二拡張片３，４のうち、第一拡張片３の当接面側に、後述する固定プレート２９のラック歯（被嵌合部材）３０に噛み合う噛合歯（嵌合部材）６を有する噛み合いプレート７が固定されている。
他方、第二拡張片４の当接面側には、ゴムパッド等よりなる弾性板材８が固定されている。
【００１７】
図２に示すように、ケーシング２は、その裏面側（図２の下側）に突出する前記第一拡張片３を長手方向一端に一体に有する裏面側が開放されたケース本体１０と、このケース本体１０の裏面側開放部を施蓋する蓋部材１１と、同ケース本体１１の表面側に回動自在に設けられた円錐台状の回動部材１２と、を備えている。
【００１８】
このケーシング２の内部には、前記回動部材１２の内端部に同軸心状に固定された回動プレート１３と、この回動プレート１３の回動に伴ってケース本体１０の長手方向（図２の左右方向）に移動するスライドプレート１４が設けられている。このスライドプレート１４の裏面には前記第二拡張片４が突設されていて、この第二拡張片４は、前記蓋部材１１の中央部に形成されたガイド孔１５を貫通してケーシング２の裏面側に突出している。
【００１９】
図１に示すように、回動部材１２の表面中央部には、操作つまみ１６の係合孔１７が設けられ、この係合孔１７は円形孔の相対向する二箇所に溝部を形成した形状に形成されており、同係合孔１７の円形孔部分には工具阻害突起として機能するロールピン１８が収納されている。
他方、操作つまみ１６は、上記係合孔１７に丁度嵌まる断面を有する係合片１９を備え、この係合片１９の中心部には上記ロールピン１８の収納孔２０が形成されている。従って、操作つまみ１６の係合片１９を係合孔１７に差し込んで同つまみ１６を回動することにより、回動部材１２をケーシング２に対して相対回動することができる。
【００２０】
なお、係合孔１７の中央部に前記ロールピン１８が設けられているので、ねじ回し等の工具を係合孔１７に差し込んで回動部材１２を回動することはできず、専用の断面形状をした上記係合片１９を有する当該操作つまみ１６でしか回動部材１２を回動できないようになっている。
【００２１】
図２に示すように、回動プレート１３の裏面には、同プレート１３の回動中心からの距離が漸次変化する渦巻き状に形成された螺旋リブ２２が一体に突設され、スライドプレート１４の表面には、同螺旋リブ２２に係合する複数の摺動片２３がケーシング２の長手方向に一定間隔おきに形成されている。
このため、回動部材１２を回動操作することで回動プレート１３が回動すると、螺旋リブ２２が各摺動片２３に順送りに噛み合い、これによってスライドプレート１４とその裏面側の第二拡張片４がケーシング２の長手方向に移動し、第二拡張片４の第一拡張片３に対する相対間隔が拡張又は縮小されることになる。
【００２２】
しかして、本実施形態では、上記操作つまみ１６、回動部材１２、回動プレート１３及びスライドプレート１４により、両拡張片３，４の相対間隔を拡張又は縮小するための前記操作手段５が構成されている。
【００２３】
本実施形態の補助ロック装置１は、更に、室外側の引き戸２７の横桟２８に固定できる幅寸法に形成された固定プレート２９を備えている。この固定プレート２９の表面には、前記第一拡張片３の噛合歯６が噛み合うラック歯３０が当該固定プレート２９の長手方向（引き戸２６，２７の走行方向と同じ）に連続するように形成されている。
【００２４】
このラック歯３０は、固定プレート２９の幅方向に延びる断面ほぼ正方形状の突条よりなり、この突条を長手方向に一定間隔おきに並設することによって固定プレート２９の表面側が凹凸形状に形成されている。他方、前記噛合歯６は、このラック歯３０の相互間で形成される凹条に嵌まり込む断面ほぼ先細り台形状に形成されている。
【００２５】
図４に示すように、各ラック歯３０の断面高さ（噛合歯６のラック歯３０に対する嵌合代）Ｅ１は、室内外の両引き戸２６，２７の本来の錠装置であるクレセント錠（図示せず）を解錠したときに室外側の引き戸２７と室内側の引き戸２６との間に生じる緩み代Ｅ２よりも大きい寸法に設定されている。
具体的には、上記緩み代Ｅ２は経験的に通常１〜２ｍｍ程度であるから、ラック歯３０の断面高さＥ１は３ｍｍ程度あれば充分である。
【００２６】
また、図１に示すように、本実施形態では、第一拡張片３の噛合歯６の歯数は６個とされ、固定プレート２９のラック歯３０の歯数は２０個とされ、後者の歯数の方が前者の歯数よりも多くなるように設定されている。
なお、図１に示すように、固定プレート２９の裏面には、図外の両面テープを収納するための浅い収納凹部３１が形成されている。
【００２７】
次に、図３及び図４を参照しつつ、上記構成に係る補助ロック装置１の使用方法及び作用を説明する。
本実施形態の補助ロック装置１を使用するには、まず、図３に示すように、室外側の引き戸２７の横桟２８の室内側面に前記固定プレート２９を両面テープ等によって固定しておく。
【００２８】
次に、操作つまみ１６を回動部材１２に差し込んで、第二拡張片４を第一拡張片３に対してできるだけ近づける方向に回動部材１２を回動し、両拡張片３，４を室外側の引き戸２７と戸枠３４の室内段差３５の間に嵌め込んだ状態でケーシング２を窓枠の下部にセットする。
【００２９】
その後、第二拡張片４が第一拡張片３から離れる方向に操作つまみ１６を回動すると、第二拡張片４が弾性板材８を介して室内段差３５を押圧すると同時に、第一拡張片３の噛合歯６が固定プレート２９のラック歯３０に噛み合い、この噛み合いにより室外側の引き戸２７が開かないようになるとともに、室内側の引き戸２６はケーシング２そのものが邪魔になって開かないようになり、室内外の両引き戸２６，２７が同時にロックされることになる。
【００３０】
このさい、本実施形態の補助ロック装置１によれば、固定プレート２９のラック歯３０の断面高さＥ１がクレセント錠を解錠したときに両引き戸２６，２７間に生じる緩み代Ｅ２よりも大きい寸法に設定されているので、補助ロック装置１をロックしてからクレセント錠が解錠されて室外側の引き戸２７に厚さ方向の緩みが発生しても、室内外の両引き戸２６，２７のロック状態が確実に維持されることになる。
【００３１】
また、本実施形態では、固定プレート２９のラック歯３０と第一拡張片３の噛合歯６との噛み合いによって引き戸２６，２７をロックしているので、固定プレート２９の取り付け高さに若干の誤差があっても両者が噛み合ってロック状態が適切に維持されることになる。このため、固定プレート２９の取り付け高さを正確に位置決めする必要がなく、同プレート２９の取り付け作業を簡便化することができる。
【００３２】
更に、本実施形態では、ラック歯３０の歯数を噛合歯６の歯数よりも多く設定してあるので、室外側の引き戸２７が閉鎖状態から走行方向にずれて開いていても噛合歯６がラック歯３０に噛み合うことになり、室外側の引き戸２７を半開き状態においてもロックすることができる。
なお、上記のようにして補助ロック装置１をロックしたあとは、操作つまみ１６を回動部材１２から取り外し、そのつまみ１６を侵入者の手が届かない場所に仕舞っておけばよい。
【００３３】
なお、本発明は上記実施形態に限定されるものではない。
例えば、ラック歯３０及び噛合歯６の形状は、要するに両者が互いに噛み合って嵌合することができる形状であれば足り、図例の断面四角形のものに限らず、断面三角形状や波形状が連続した凹凸形状を採用することもできる。
【００３４】
また、固定プレート２９を戸枠３４の室内段差３５に固定し、これに対応して噛合歯６を有する噛み合いプレート７を第二拡張片４に固定することにしてもよい。
更に、第一拡張片３及び第二拡張片４はその間の相対間隔を変更できるようにケーシング２に設けられておれば足り、前者をケーシング２に対して移動させかつ後者をケーシング２に固定してもよいし、両者ともケーシング２に対して移動させてもよい。
【００３５】
また、図３では、固定プレート２９を室外側の引き戸２７の上下横桟２８のうちの下桟に固定し、補助ロック装置１を窓枠の下部にセットした場合を例示しているが、固定プレート２９を室外側の引き戸２７の上桟に固定すれば、同装置１を窓枠の上部にもセットすることができる。
【００３６】
更に、固定プレート２９に対する第一又は第二拡張片３，４の移動規制は、噛合歯６とラック歯３０の代わりに、係合ピン（嵌合部材）とこれが嵌合する係合孔（被嵌合部材）で行うこともできる。
即ち、固定プレート２９又は拡張片３，４に係合孔を一定間隔おきに設け、この係合孔に嵌合する係合ピンを拡張片３，４又は固定プレート２９に設けることもできる。
【００３７】
【発明の効果】
本発明によれば、室外側の引き戸に厚さ方向の緩みが発生しても、引き戸のロック状態を確実に維持することができるので、当該補助ロック装置による防犯機能を向上させることができる。
【図面の簡単な説明】
【図１】本発明の補助ロック装置の斜視図である。
【図２】同補助ロック装置の中央断面図である。
【図３】同補助ロック装置の取り付け状態を示す窓枠の下部の縦断面図である。
【図４】図３のＡ方向から見た拡大平面図である。
【符号の説明】
１      補助ロック装置
２      ケーシング
３      第一拡張片
４      第二拡張片
５      操作手段
６      噛合歯（嵌合部材）
２６      室内側の引き戸
２７      室外側の引き戸
２８      横桟
２９      固定プレート
３０      ラック歯（被嵌合部材）
３４      戸枠
３５      室内段差
Ｅ１      ラック歯の断面高さ（嵌合代）
Ｅ２      引き戸の緩み代
【図１】
0003689766.tif 000002
【図２】
0003689766.tif 000003
【図３】
0003689766.tif 000004
【図４】
0003689766.tif 000005